【手続補正書】
【提出日】令和3年10月25日(2021.10.25)
【手続補正１】
【補正対象書類名】特許請求の範囲
【補正対象項目名】全文
【補正方法】変更
【補正の内容】
【特許請求の範囲】
【請求項１】
第１のスイッチング信号線、第２のスイッチング信号線、及び第１組の検出信号線に電気的に接続され、第１のスイッチング信号と第２のスイッチング信号の制御の下、第１組の検出信号を介して第１の画素を駆動して発光させるよう配置される第１の回路と、
第１のスイッチング信号線、第２のスイッチング信号線、及び第１組の検出信号線に電気的に接続され、第１のスイッチング信号と第２のスイッチング信号の制御の下、第１組の検出信号を介して第２の画素を駆動して発光させるように配置される第２の回路と、
第１のスイッチング信号線又は第２のスイッチング信号線に電気的に接続され、かつ、第２組の検出信号線に電気的に接続され、第１のスイッチング信号又は第２のスイッチング信号の制御の下、第２組の検出信号を介して第３の画素を駆動して発光させるように配置される第３の回路とを備える検出装置であって、
そのうち、第１の画素、第２の画素及び第３の画素はそれぞれ異なる、
検出装置。
【請求項２】
前記第１組の検出信号線は、第１の検出信号線と第２の検出信号線とを備える、
請求項１に記載の検出装置。
【請求項３】
前記第１の回路は、
第１のスイッチング信号線と第１の検出信号線に電気的に接続され、前記第１のスイッチング信号の制御の下、第１の検出信号を介して前記第１の画素を駆動して発光させるように配置される第１のスイッチと、
第２のスイッチング信号線と第２の検出信号線に電気的に接続され、前記第２のスイッチング信号による制御の下、第２の検出信号を介して前記第１の画素を駆動して発光させるように配置される第２のスイッチとを備える、
請求項２に記載の検出装置。
【請求項４】
前記第１のスイッチ及び前記第２のスイッチは、スイッチングトランジスタである、
請求項３に記載の検出装置。
【請求項５】
前記第１のスイッチのゲートは、前記第１のスイッチング信号線に電気的に接続され、前記第１のスイッチのドレインは、前記第１の検出信号線に電気的に接続され、前記第１のスイッチのソースは、前記第１の画素に電気的に接続され、
前記第２のスイッチのゲートは前記第２のスイッチング信号線に電気的に接続され、前記第２のスイッチのドレインは前記第２の検出信号線に電気的に接続され、前記第２のスイッチのソースは前記第１の画素に電気的に接続されている、
請求項４に記載の検出装置。
【請求項６】
前記第２の回路は、
前記第１のスイッチング信号線と第２の検出信号線に電気的に接続され、前記第１のスイッチング信号の制御の下、第２の検出信号を介して前記第２の画素を駆動して発光させるように配置される第３のスイッチと、
前記第２のスイッチング信号線と前記第１の検出信号線に電気的に接続され、前記第２のスイッチング信号の制御の下、第１の検出信号を介して前記第２の画素を駆動して発光させるように配置される第４のスイッチ、とを備える、
請求項２に記載の検出装置。
【請求項７】
前記第３のスイッチ及び前記第４のスイッチは、スイッチングトランジスタである、
請求項６に記載の検出装置。
【請求項８】
前記第３のスイッチのゲートは前記第１のスイッチング信号線に電気的に接続され、前記第３のスイッチのソースは前記第２の検出信号線に電気的に接続され、前記第３のスイッチのドレインは前記第２の画素に電気的に接続され、
前記第４のスイッチのゲートは前記第２のスイッチング信号線に電気的に接続され、前記第４のスイッチのソースは前記第１の検出信号線に電気的に接続され、前記第４のスイッチのドレインは前記第２の画素に電気的に接続される、
請求項７に記載の検出装置。
【請求項９】
前記第３の画素は、第１のサブ画素及び第２のサブ画素を備える、
請求項１に記載の検出装置。
【請求項１０】
前記第３の回路は、
前記第１のスイッチング信号線と前記第２組の検出信号線に電気的に接続され、前記第１のスイッチング信号の制御の下、前記第２組の検出信号を介して第１のサブ画素を駆動して発光させるように配置される第５のスイッチと、
前記第１のスイッチング信号線と前記第２組の検出信号線に電気的に接続され、前記第１のスイッチング信号の制御の下、前記第２組の検出信号を介して第２のサブ画素を駆動して発光させるように配置される第６のスイッチとを有する、
請求項９に記載の検出装置。
【請求項１１】
前記第５のスイッチ及び前記第６のスイッチは、スイッチングトランジスタである、
請求項１０に記載の検出装置。
【請求項１２】
前記第５のスイッチのゲートは前記第１のスイッチング信号線に電気的に接続され、前記第５のスイッチのソースは前記第２組の検出信号線に電気的に接続され、前記第５のスイッチのドレインは前記第１のサブ画素に電気的に接続され、
前記第６のスイッチのゲートは、前記第５のスイッチのゲートに電気的に接続され、前記第６のスイッチのソースは、前記第２組の検出信号線に電気的に接続され、前記第６のスイッチのドレインは、前記第２のサブ画素に電気的に接続される、
請求項１１に記載の検出装置。
【請求項１３】
前記第３の回路は、
前記第２のスイッチング信号線と前記第２組の検出信号線に電気的に接続され、前記第２のスイッチング信号による制御の下、前記第２組の検出信号を介して第１のサブ画素を駆動して発光させるように配置される第５のスイッチと、
前記第２のスイッチング信号線と前記第２組の検出信号線とに電気的に接続され、前記第２のスイッチング信号による制御の下、前記第２組の検出信号を介して第２のサブ画素を駆動して発光させるように配置される第６のスイッチとを備える、
請求項９に記載の検出装置。
【請求項１４】
前記第５のスイッチ及び前記第６のスイッチは、スイッチングトランジスタである、
請求項１３に記載の検出装置。
【請求項１５】
前記第５のスイッチのゲートは前記第２のスイッチング信号線に電気的に接続され、前記第５のスイッチのソースは前記第２組の検出信号線に電気的に接続され、前記第５のスイッチのドレインは前記第１のサブ画素に電気的に接続され、
前記第６のスイッチのゲートは、前記第５のスイッチのゲートに電気的に接続され、前記第６のスイッチのソースは、前記第２組の検出信号線に電気的に接続され、前記第６のスイッチのドレインは、前記第２のサブ画素に電気的に接続される、
請求項１４に記載の検出装置。
【請求項１６】
請求項１〜１５のうちいずれか１項に記載の検出装置に基づく検出方法であって、
第１の回路、第２の回路、及び第３の回路の導通状態を制御するように、第１のスイッチング信号線と第２のスイッチング信号線のレベル状態を制御するステップと、
第１の回路が導通状態で第１組の検出信号を介して第１の画素を駆動して発光させ、第２の回路が導通状態で第１組の検出信号を介して第２の画素を駆動して発光させ、第３の回路が導通状態で第２組の検出信号を介して第３の画素を駆動して発光させるように、第１組の検出信号線と第２組の検出信号線のレベル状態を制御するステップと、を含む、
検出方法。
【手続補正２】
【補正対象書類名】明細書
【補正対象項目名】００４７
【補正方法】変更
【補正の内容】
【００４７】
第２のスイッチ１２は、第２のスイッチング信号線ＳＷ２と第２の検出信号線ＥＴＤ２に電気的に接続され、第２のスイッチング信号の制御の下、第２の検出信号を介して第１の画素Ｐ１を駆動して発光させるように配置される。
【手続補正３】
【補正対象書類名】明細書
【補正対象項目名】００５８
【補正方法】変更
【補正の内容】
【００５８】
図７に示すように、トランジスタＴＦＴ１のゲートは第１のスイッチング信号線ＳＷ１に電気的に接続され、トランジスタＴＦＴ１のソースは第１の検出信号線ＥＴＤ１に電気的に接続され、トランジスタＴＦＴ１のドレインは第１の画素Ｐ１に電気的に接続される。トランジスタＴＦＴ２のゲートは第２のスイッチング信号線ＳＷ２に電気的に接続され、トランジスタＴＦＴ２のソースは第２の検出信号線ＥＴＤ２に電気的に接続され、トランジスタＴＦＴ２のドレインは第１の画素Ｐ１に電気的に接続される。
【手続補正４】
【補正対象書類名】明細書
【補正対象項目名】００８１
【補正方法】変更
【補正の内容】
【００８１】
図１０に示すように、トランジスタＴＦＴ１のゲートは第１のスイッチング信号線ＳＷ１に電気的に接続され、トランジスタＴＦＴ１のソースは第１の検出信号線ＥＴＤ１に電気的に接続され、トランジスタＴＦＴ１のドレインは第１の画素Ｐ１に電気的に接続されている。トランジスタＴＦＴ２のゲートは第２のスイッチング信号線ＳＷ２に電気的に接続され、トランジスタＴＦＴ２のソースは第２の検出信号線ＥＴＤ２に電気的に接続され、トランジスタＴＦＴ２のドレインは第１の画素Ｐ１に電気的に接続されている。
【手続補正５】
【補正対象書類名】明細書
【補正対象項目名】００８９
【補正方法】変更
【補正の内容】
【００８９】
第４期間Ｔ４では、第１のスイッチング信号がハイレベルになり、第２のスイッチング信号がローレベルになる。図１０に示す検出装置によれば、このとき、トランジスタＴＦＴ１とトランジスタＴＦＴ３はオフになり、トランジスタＴＦＴ２、トランジスタＴＦＴ４、トランジスタＴＦＴ５、及びトランジスタＴＦＴ６はオンになる。第４期間Ｔ４では、第１の検出信号は第２のハイレベルであり、第２の検出信号及び第３の検出信号はローレベルである。第１の検出信号が第２のハイレベルであるため、トランジスタＴＦＴ４は第２のハイレベルで第２の画素Ｐ２を駆動し、その結果、赤色画素が点灯する。このとき検出画面は赤色を表示する。
【手続補正６】
【補正対象書類名】明細書
【補正対象項目名】００９２
【補正方法】変更
【補正の内容】
【００９２】
第７期間Ｔ７では、第１のスイッチング信号がローレベルになり、第２のスイッチング信号がハイレベルになり、図１０に示す検出装置から分かるように、このとき、トランジスタＴＦＴ１とトランジスタＴＦＴ３がオンになり、トランジスタＴＦＴ２、トランジスタＴＦＴ４、トランジスタＴＦＴ５及びトランジスタＴＦＴ６がオフになる。第７期間Ｔ７において、第１の検出信号及び第２の検出信号はいずれも第２のハイレベルであり、第３の検出信号はローレベルである。第１の検出信号が第２のハイレベルであるため、トランジスタＴＦＴ１は第２のハイレベルで第１の画素Ｐ１を駆動し、その結果、青色画素が点灯する。第２の検出信号が第２のハイレベルであるため、トランジスタＴＦＴ３は第２のハイレベルで第２の画素Ｐ２を駆動し、その結果、赤色画素が点灯する。このとき検出画面は紫色を表示する。
【手続補正７】
【補正対象書類名】明細書
【補正対象項目名】００９３
【補正方法】変更
【補正の内容】
【００９３】
第８期間Ｔ８では、第１のスイッチング信号はローレベルのままであり、第２のスイッチング信号はローレベルになり、図１０に示す検出装置から分かるように、このとき、トランジスタＴＦＴ１、トランジスタＴＦＴ２、トランジスタＴＦＴ３、トランジスタＴＦＴ４、トランジスタＴＦＴ５、及びトランジスタＴＦＴ６は、全てオン状態である。第８期間Ｔ８では、第１の検出信号、第２の検出信号、及び第３の検出信号は、いずれも第２のハイレベルである。第１の検出信号が第２のハイレベルであるため、トランジスタＴＦＴ１は第２のハイレベルで第１の画素Ｐ１を駆動し、その結果、青色画素が点灯し、トランジスタＴＦＴ４は第２のハイレベルで第２の画素Ｐ２を駆動し、その結果、赤色画素が点灯する。第２の検出信号が第２のハイレベルであるため、トランジスタＴＦＴ２も第２のハイレベルで第１の画素Ｐ１を駆動し、トランジスタＴＦＴ３も第２のハイレベルで第２の画素Ｐ２を駆動する。第３の検出信号が第２のハイレベルであるため、トランジスタＴＦＴ５は第２のハイレベルで第１のサブ画素Ｐ３１を駆動し、トランジスタＴＦＴ６は第２のハイレベルで第２のサブ画素Ｐ３２を駆動し、その結果緑色画素が点灯する。このとき検出画面は白色を表示する。
【手続補正８】
【補正対象書類名】明細書
【補正対象項目名】００９４
【補正方法】変更
【補正の内容】
【００９４】
第９期間Ｔ９では、第１のスイッチング信号がハイレベルになり、第２のスイッチング信号はローレベルのままである。図１０に示す検出装置から分かるように、このとき、トランジスタＴＦＴ１とトランジスタＴＦＴ３はオフになり、トランジスタＴＦＴ２、トランジスタＴＦＴ４、トランジスタＴＦＴ５、及びトランジスタＴＦＴ６はオンになる。第９期間Ｔ９では、第１の検出信号及び第３の検出信号は第２のハイレベルであり、第２の検出信号はローレベルである。第１の検出信号が第２のハイレベルであるため、トランジスタＴＦＴ４は第２のハイレベルで第２の画素Ｐ２を駆動し、その結果赤色画素が点灯する。第３の検出信号が第２のハイレベルであるため、トランジスタＴＦＴ５は第２のハイレベルで第１のサブ画素Ｐ３１を駆動し、トランジスタＴＦＴ６は第２のハイレベルで第２のサブ画素Ｐ３２を駆動し、その結果、緑色画素が点灯する。このとき検出画面は黄色を表示する。